(57)【要約】【課題】  硬貨の入り口に硬貨を投入した時にこれまでになくユニークな取り込み処理をユーザーに見せることが出来るような全く新しい貯金箱を提供する。【解決手段】  硬貨の入口（２３）と出口（２４）とを有して入口（２３）から押し込まれる硬貨（Ｃ）によって出口（２４）から押し出される硬貨があるように設けられた、少なくとも１枚の硬貨が滞留可能な硬貨通路（２２）と、この硬貨通路の出口が内部のほぼ中心に納められていると共に、外部から透視可能に形成されている硬貨容器（１）とから成る貯金箱とした。従来のように硬貨がそれ自体の重量によって貯金箱の入り口から内部に落下するものではなく、本考案では硬貨（Ｃ）が硬貨通路（２２）から順次押し出されて納まるように見える点が特徴である。【選択図】図１
0003200261.tif 000002
【実用新案登録請求の範囲】
【請求項１】
硬貨の入口と出口とを有して入口から押し込まれる硬貨によって出口から押し出される硬貨があるように設けられた少なくとも１枚の硬貨が滞留可能な硬貨通路と、この硬貨通路の出口が内部のほぼ中心に納められていると共に外部から透視可能に形成されている硬貨容器とから成る、貯金箱。
【請求項２】
前記硬貨通路に硬貨の逆流防止手段が設けられている、請求項１に記載の貯金箱。
【請求項３】
前記逆流防止手段は、前記入口側の前記硬貨通路の、硬貨の直径方向から前記硬貨通路に臨んで設けられたガイド溝と、このガイド溝で軸部が案内されるように取り付けられたローラーと、前記入口から押し込まれた硬貨に押し退けられて硬貨を避ける方向に移動するも元の位置に戻るように前記ローラーを付勢する付勢手段とから成る、請求項１に記載の貯金箱。
【請求項４】
前記ガイド溝は、硬貨に近い側が硬貨を押し込み易い方向のカーブとすると共に硬貨から遠い側が硬貨を押し込む距離を少なくする方向のカーブとすべく、硬貨を押し込む方向に凸湾曲されたものである、請求項３に記載の貯金箱。
【請求項５】
前記硬貨容器は樹木の枝葉の形状を模したものであり、樹木の幹の形状を模した着脱自在な蓋を有している、請求項１に記載の貯金箱。
【請求項６】
前記硬貨通路が前記蓋に設けられている、請求項５に記載の貯金箱。
【考案の詳細な説明】
【技術分野】
【０００１】  この考案は、硬貨の入り口を工夫することによって硬貨を投入した時の硬貨の取り込み処理のユニークさや硬貨の動きの面白さをユーザーに分かり易く見せることが出来るようにした、全く新しい貯金箱に関する。
【背景技術】
【０００２】  従来の貯金箱は、陶器製やプラスチック製の中空の硬貨収納容器に、硬貨投入口が開口してあるものが一般的である。例えば実開平１１−０８９６１７号は中空の小槌型の容器に金銭口を設けたものである。小銭を金銭口に投入すると小槌型の容器内に落下するようになっている。【０００３】  また実開平０５−００７５００号は硬貨を硬貨受入口に置いて操作杆を操作することにより硬貨を本体内に収納するが、この際に操作杆の操作によって装飾装置内の装飾立体の可動部分を駆動させるようにしたものである。
【先行技術文献】
【特許文献】
【０００４】
【特許文献１】実開平１１−０８９６１７号公報
【特許文献２】実開平０５−００７５００号公報
【考案の概要】
【考案が解決しようとする課題】
【０００５】  実開平１１−０８９６１７号の貯金箱によれば、操作レバーを引くことで、貯金箱内の小銭を開閉弁より打ち出の小槌のように振り出せる点に特徴を有するものの、金銭口への小銭投入はごく一般的なものである。これに対して実開平０５−００７５００号の装飾装置は、硬貨を一旦硬貨受入口に置いてから操作杆を操作することで本体内に収納するようにしたものである。【０００６】  しかしながら上記の何れの貯金箱でも、硬貨はそれ自体の重量によって貯金箱の入り口から内部に納まるのであり、正に「硬貨の投入」と言う言葉通りの動きをするに過ぎないものであった。これは実開平０５−００７５００号も同様であり、ただ操作杆が硬貨受入口に硬貨を一旦留め置いており、操作杆を操作した時に硬貨の投入が行われると言うだけの違いが、硬貨が内部にストレートに落ちる実開平１１−０８９６１７号やこれと同種の貯金箱に対して認められるのみであった。【０００７】  そこでこの考案は、上述したような問題を解決して、硬貨の入り口に硬貨を投入した時に、これまでになくユニークな取り込み処理をユーザーに見せることが出来るような全く新しい貯金箱を提供することを目的とする。
【課題を解決するための手段】
【０００８】  上記の課題は、硬貨の入口と出口とを有しており、入口から押し込まれる硬貨によって出口から押し出される硬貨があるように設けられた、少なくとも１枚の硬貨が滞留可能な硬貨通路と、この硬貨通路の出口が内部のほぼ中心に納められていると共に、外部から透視可能に形成されている硬貨容器と、から成る貯金箱とすることにより達成される。【０００９】  前記硬貨通路は、入口から入れられた少なくとも１枚の硬貨を出口までの間に滞留し得る長さを有する。従って入口から入れられた硬貨は、次の硬貨が入口に入れられるまでの間は硬貨通路内に止まることが出来る。その滞留硬貨は次の硬貨が入口に入れられると、押し出されるようにして出口から出て、前記硬貨容器の中に納められる。硬貨通路の前記出口は硬貨容器のほぼ中心に位置しているため、ここから硬貨容器に落とされる硬貨を、硬貨容器が透視可能であるが故に外部から見ることが出来るのである。なお前記硬貨通路を外部から透視可能なものとすることにより、硬貨通路内部の硬貨までをも外部から見せることが出来るようになる。【００１０】  前記硬貨通路を更に長く設けることにより、滞留させ得る硬貨の枚数も２枚３枚と増やすことが可能である。硬貨が２枚以上の複数枚であると、複数枚の硬貨が通路内で連続することになる。硬貨通路内が硬貨でいっぱいになっている状態では、入口から新たな硬貨を入れることで押されて、硬貨通路内の最先の硬貨が出口から押し出される。【００１１】  前記硬貨通路の出口は硬貨容器のほぼ中心に位置し、入口との位置関係は、硬貨通路がほぼ直線状であれば、入口と出口が同じ高さ位置に設けられたものや、出口の方が入口よりも高い位置に設けられたものが提供可能である。後者では入口に硬貨の逆流防止手段を設けると良い。入口の方が出口よりも高い位置に設ける場合には、最先の硬貨が後ろから押されるまでは出口の手前に滞留することが出来るようなストッパとしての突起を出口に設けるなどすれば良い。【００１２】  次に硬貨通路が直線状ではないものに付いて、例えば硬貨通路を略Ｊ字形状にするなどの設計が可能である。出口の方を入口よりも低い位置に設けたいとする場合には、硬貨通路内の壁面と硬貨との摩擦によって硬貨を滞留し得るようにしたり、最先の硬貨が後ろから押されるまでは出口の手前に滞留することが出来るようなストッパとしての突起を出口に設けるようにすれば良い。逆に出口の方が入口よりも高い位置に設けたいとする場合には、入口に硬貨の逆流防止手段を設けると良い。【００１３】  さて硬貨通路の入口に関して、前記逆流防止手段は、前記入口側の前記硬貨通路の、硬貨の直径方向から前記硬貨通路に臨んで設けられたガイド溝と、このガイド溝で軸部分が案内されるように取り付けられたローラーと、前記入口から押し込まれた硬貨に押し退けられて硬貨を避ける方向に移動するも元の位置に戻るように前記ローラーを付勢する付勢手段とから成るものとすることが出来る。入口から硬貨が押し込まれると、前記ローラーがガイド溝にガイドされて硬貨から遠ざかる方向に移動し、硬貨を避けて通過させるが、硬貨を通過させ終わると前記付勢手段によって元の位置まで戻り、通過した硬貨の逆流をこのローラーが止めて入口から出さないように作用するのである。【００１４】  なお前記ガイド溝は、硬貨に近い側が硬貨を押し込み易い方向のカーブとすると共に、硬貨から遠い側が硬貨を押し込む距離を少なくする方向のカーブとするべく、硬貨を押し込む方向に凸湾曲されたものとしても良い。ガイド溝が硬貨を押し込む方向に凸湾曲した形状であると、硬貨の押し込み初めにあってはガイド溝によってローラーがガイドされる方向が硬貨の押し込み方向に近くなるため、硬貨を押し込むのに要する力が軽減される。また硬貨の押し込み終わりにあってはガイド溝によりローラーがガイドされる方向が硬貨の円周に沿う方向に近くなるため、硬貨をして逆流防止手段であるローラーを通過させるのに必要な押し込みの距離を少なくすることが出来る。なおローラーは回転するものであると硬貨との摩擦が少なくなるが、回転しないものであったとしてもローラー形状であるが故に元々硬貨との摩擦は少なく、この逆流防止手段に使用することが可能である。【００１５】  さて前記硬貨容器を樹木の形状を模したものとすると面白い。硬貨容器は透視可能であるが故に、前記硬貨通路の出口から押し出される硬貨を外部から見ることが出来るのであり、また硬貨容器内に貯まり増えて行く硬貨を見ることが可能である。そこで硬貨容器を樹木の形状にすることによって、この貯金箱を「金のなる木」と呼ぶに相応しいものとすることが出来るのである。【００１６】  また前記硬貨容器が樹木の枝葉の形状を模したものであって、樹木の幹の形状を模した着脱自在な蓋を有しているものとすることが出来る。前記硬貨容器を樹木の形状を模したものにするのであるが、ここでは樹木を枝葉の形状を模した硬貨の収納部分と幹の形状を模した部分とに分けると共に、幹の形状を模した部分をこの貯金箱の着脱自在な蓋としている点が特徴である。幹の形状を模した蓋を外すと、枝葉の形状を模した硬貨容器の部分から貯まった硬貨を取り出すことが可能になる。【００１７】  なお前記硬貨通路が前記蓋に設けられているものとしても良い。すなわちこの貯金箱の着脱自在な蓋が幹の形状を模したものであり、ここに硬貨通路が設けられている構造のものである。従って金のなる木の幹側に硬貨を押し込む入口が設けられており、この幹の形状を模した蓋を樹木を枝葉の形状を模した硬貨の収納部分に取り付けると、この収納部分の内部のほぼ中心に硬貨通路の出口が位置することになる。
【考案の効果】
【００１８】  この考案によれば、従来例のようにただ硬貨がそれ自体の重量によって貯金箱の入口から投入されて貯金箱の内部に納まるのではなく、入口から押し込まれた硬貨はこれに先立って押し込まれ硬貨通路に滞留している硬貨を出口から押し出して、硬貨容器に落とされて貯まり、このユニークな取り込み処理は硬貨容器を透して外部からユーザーに見せることが出来ると言う効果を奏する。このようにこの考案は、これまでにない新しい貯金箱を提供することに成功している。
【図面の簡単な説明】
【００１９】
【図１】  実施例１の説明図である。
【図２】  ローラー２７の動作状態の説明図である。
【図３】  ローラー２７の動作状態の説明図である。
【図４】  実施例２の説明図である。
【図５】  実施例３の説明図である。
【図６】  実施例４の説明図である。
【考案を実施するための形態】
【実施例１】
【００２０】  図１乃至図３を用いて実施例１の貯金箱を説明する。このものは樹木の幹を模した台座２と繁茂した枝葉を模した硬貨容器１とからなり、硬貨容器１は透明素材で成型されており、中に貯まった硬貨を外から見ることが出来る、「金のなる木」をイメージした外観を有する貯金箱である。略Ｊ字形状を呈する硬貨通路２２は長い方を垂直に立てて台座２に取り付けられている。この硬貨通路２２のある台座２に対して、硬貨容器１が着脱自在に設けられている。すなわち硬貨容器１の底面部には円形の開口部１０が設けられており、この開口部１０の縁部の２回対称の部位には切欠部１１を有しており、一方台座２の上面部の２箇所には上記切欠部１１は抜けるも開口部１０の縁部に掛かって硬貨容器１を止めることが出来る掛止部２００が設けられている。従って硬貨容器１を捻って切欠部１１を掛止部２００の位置に合わせることで、硬貨容器１を硬貨通路２２のある台座２から取り外すことが出来、開口部１０は硬貨の取り出し口となる。【００２１】  上記硬貨通路２２の台座２への取り付け構成は次のようである。すなわち硬貨通路２２は長い方を垂直に立てるようにして中空の台座２に納められている。硬貨通路２２の垂直となる部位は台座２の上面部の挿通口２１から台座の外部に取り出されており、その先端部分が硬貨の出口２４である。これに対して硬貨の入口２３となる部位は、台座２の側面部に開口された取付口２０に位置するように取り付けられている。また図１では硬貨通路２２をその手前側の板面を取り外した状態で表しているが、奥側の板面２０１と手前側の板面との間には１枚分の硬貨の厚みよりも僅かに大きな厚みのスペーサー２０２が両縁部に設けられている。なお仮に、例えば２枚分の硬貨を通したいとするならばスペーサーの厚みでこれを実現することが出来る。【００２２】  硬貨通路２２は不透明な素材より成るものであり、その垂直となる部位から略Ｊ字形状に曲げられた先部は硬貨の入口２３として台座２の取付口２０に取り付けられているが、この部位の硬貨通路２２の板面２０１には当接板２５が添設され、ここに硬貨の逆流防止手段が設けられている。この逆流防止手段は、硬貨の直径方向から硬貨通路２２に臨んでその両側に設けられたガイド溝２６，２６と、このガイド溝２６，２６で軸部２８が案内されるように取り付けられたローラー２７と、上記入口２３から押し込まれた硬貨に押し退けられて硬貨を避ける方向に移動するも元の位置に戻るようにローラー２７を付勢する付勢手段である所のコイルバネ２９とから構成される。ガイド溝２６，２６は板面２０１と当接板２５とを貫くものであると共に硬貨を押し込む方向に凸湾曲されたものであり、各々のガイド溝２６，２６に通されたローラー２７，２７の軸部２８，２８の間は当接板２５の上記板面２０１とは反対側でコイルバネ２９で接続されており、常には近付く方向に付勢されている。【００２３】  次にこの貯金箱の使用法と動作状態とを図２および図３を用いて説明する。入口２３に硬貨を押し込むと、硬貨は図２のようにローラー２１に接触するが、ローラー２７，２７はその軸部２８，２８が硬貨を押し込み易い方向にカーブしたガイド溝２６，２６によって図２の矢線方向に案���され、直線状のガイド溝とする場合に比して容易に押し退けられて通路を開き硬貨を通過させる。このいま正に硬貨がローラー２７，２７を通過しようとする際には、軸部２８，２８が硬貨を押し込む距離を少なくする方向にカーブしたガイド溝２６，２６によって図３の矢線方向に案内され、直線状のガイド溝とする場合に比して硬貨をより早く通過させ終わる効果もある。硬貨を通過させ終えて自由になったローラー２７，２７は、その軸部２８，２８がコイルバネ２９で接続されていることによって自動的に元の状態に戻り、一度通過させた硬貨が入口２３から出戻ることを阻止する。【００２４】  このようにして入口２３から複数個の硬貨が入れられると、先の硬貨は後の硬貨により押されて略垂直に立っている硬貨通路２２を昇って行くが、複数個の硬貨の重量が掛かっても最後尾の硬貨が入口２３から出戻ることはローラー２７，２７によって阻止されている。硬貨通路２２を昇って最高位に至った硬貨Ｃはここから硬貨容器１の中に落ちて蓄えられるが、このユニークな取り込み処理の状況は、ユーザーが透明な硬貨容器１を透して外から見ることが出来る。なお硬貨通路２２を透明に構成すれば、略Ｊ字形状の硬貨通路２２を移動して行く硬貨が外から透して見られてさらに楽しい。なお上述のようにコイルバネ２９は元の状態に戻るローラー２７，２７に勢いを付けるため、最高位に至った硬貨Ｃがはじかれるようにして硬貨容器１の中に落ちるようにも構成し得る。
【実施例２】
【００２５】  図４はこの実施例の貯金箱を表したものである。その殆どの構成を上述した実施例１の貯金箱に倣っているが、逆流防止手段の点で異なるものとなっている。【００２６】  略Ｊ字形状を呈する硬貨通路４２は長い方を垂直に立てて台座４に取り付けられ、この台座４に対して硬貨容器３が着脱自在に設けられている。硬貨容器３の底面部には円形の開口部３０が設けられており、この縁部の２回対称の部位には切欠部３１を有しており、台座４の上面部の２箇所には上記切欠部３１は抜けるも開口部３０の縁部に掛かって硬貨容器３を止めることが出来る掛止部４７が設けられている。また硬貨通路４２の垂直となる部位は台座４の上面部の挿通口４１から台座の外部に取り出されており、その先端部分が硬貨の出口４４である。これに対して硬貨の入口４３となる部位は、台座４の側面部に開口された取付口４０に位置するように取り付けられている。また図４では硬貨通路４２をその手前側の板面を取り外した状態で表しているが、奥側の板面４８と手前側の板面との間には１枚分の硬貨の厚みよりも僅かに大きな厚みのスペーサー４９が両縁部に設けられている。この硬貨通路４２は不透明な素材より成るものであるが、透明な素材から成るものとしても良い。【００２７】  上記硬貨通路４２の垂直となる部位から略Ｊ字形状に曲げられた先部は硬貨の入口４３として台座４の取付口４０に取り付けられているが、ここに硬貨の逆流防止手段が設けられている。この逆流防止手段はつまみ付きキャップ４５を回動軸４６を以て上記入口４３に回動自在に取り付けられたものであり、つまみ付きキャップ４５を閉じると入口４３をしっかりと閉塞することが出来るように構成されている。従って入口４３から硬貨を押し込んだならば直ぐにつまみ付きキャップ４５を閉じるようにするのである。【００２８】  さてつまみ付きキャップ４５を開けて入口４３から複数個の硬貨を入れると、先の硬貨は後の硬貨によって押されて略垂直に立っている硬貨通路４２を昇って行くが、複数個の硬貨の重量が掛かっても最後尾の硬貨が入口４３から出戻ることは閉じられたつまみ付きキャップ４５によって阻止される。
【実施例３】
【００２９】  図５はこの実施例の貯金箱を表したものであり、透明な硬貨容器５の中に略Ｊ字形状を呈する硬貨通路６が納められている。また硬貨通路６はその長い方を垂直に立てるようにして、その先端部分が硬貨容器５の天部の挿通口５０より硬貨容器５の外部に取り出されて硬貨の入口６０とされている。これに対して硬貨通路６の他側は硬貨容器５の中にあって硬貨の出口６１とされている。なお硬貨容器５の底部には硬貨の取り出し口となる開口部５１があり、ここにゴムキャップ５２が填め込まれている。【００３０】  上記硬貨通路６は奥側の板面と手前側の板面との間に１枚分の硬貨の厚みよりも僅かに大きな厚みのスペーサーが両縁部に設けられたものである。スペーサーはゴム製であり、通過する硬貨にとっては幾分か摩擦抵抗があるものである。この硬貨通路６の板面は透明な素材より成るものであるが、不透明な素材から成るものとしても良い。【００３１】  入口６０から硬貨を入れると、硬貨は硬貨通路６の中で積み上がって行くが、ゴム製のスペーサーの抵抗で自然にはから零れ落ちることはないが、硬貨を入口６０から押し込むようにすると、その力は硬貨により伝達し合い出口６１手前に位置する最先の硬貨が押し出されるのである。
【実施例４】
【００３２】  図６はこの実施例の貯金箱を表したものであり、透明な硬貨容器７の側壁に取付口７０が開口されており、ここより略１字形状を呈する硬貨通路８が、その入口８０が硬貨容器７の外側に位置するように、出口８１が硬貨容器７の内側に位置するようにすると共に、硬貨通路８の外周下側に設けた軸受け８２を以て上記取付口７０の内面下側の回動軸７３に回動自在に取り付けられている。また図示するように上記出口８１が硬貨通路８の端部方向を向いているのに対して入口８０は上方向に開口されている。なお硬貨容器７の底部には硬貨の取り出し口となる開口部７１があり、ここにゴムキャップ７２が填め込まれている。硬貨容器７に貯まった硬貨を取り出したいとする場合にはこのゴムキャップ７２を開口部７１から取り外せば良い。【００３３】  上記硬貨通路８は奥側の板面と手前側の板面との間に１枚分の硬貨の厚みよりも僅かに大きな厚みのスペーサーが両縁部に設けられたものである。この内の上縁部のスペーサーは入口８０の側で硬貨が通過し得る分だけ途切れており、下縁部のスペーサーが硬貨通路８の右端部に回り込んでここを塞いでおり、ここに上向きの入口８０が形成されている。この硬貨通路８は不透明な素材より成るものであるが、透明な素材から成るものとしても良い。【００３４】  また上記硬貨通路８の回動範囲は、硬貨通路８が水平となりその入口８０と出口８１とが同じ高さとなる位置から、入口８０の側が低く出口８１の側が高くなる適宜の傾斜角度までに設定されている。これ以外の範囲では硬貨通路８が上記取付口７０に阻まれてこれ以上は回動することが出来ないようになっている。この硬貨通路８の傾斜角度をユーザーの好みによって変えられるようにしている分けである。
【産業上の利用可能性】
【００３５】  この考案の貯金箱は、実施例１，２の金のなる木をイメージしたものや、実施例３，４のような一般的な形状のもの以外に、キノコ、アンブレラ、富士山、家や動物や乗り物を模した形状のものなどを任意に設計することが出来る。また貯金箱に限定されず、硬貨の代わりに各種ブロックを容器内に収める知育玩具として構成したり、サイコロを容器内部に落として遊ぶゲーム玩具などとして提供することも可能であり、この考案の用途は多岐に亘るものである。
【符号の説明】
【００３６】１  ，３  ，５  ，７  硬貨容器
１０，３０  開口部
１１，３１  切欠部
２  ，４  台座
２０，４０，７０  取付口
２１，４１，５０  挿通口
２２，４２，６  ，８  硬貨通路
２３，４３，６０，８０  入口
２４，４４，６１，８１  出口
２５  当接板
２６  ガイド溝
２７  ローラー
２８  軸部
２９  コイルバネ
２００，４７  掛止部
２０１，４８  板面
２０２，４９  スペーサー
４５  つまみ付きキャップ
４６  回動軸
５１，７１  開口部
５２，７２  ゴムキャップ
７３  回動軸
８２  軸受け
【図１】
0003200261.tif 000003
【図２】
0003200261.tif 000004
【図３】
0003200261.tif 000005
【図４】
0003200261.tif 000006
【図５】
0003200261.tif 000007
【図６】
0003200261.tif 000008
【手続補正書】
【提出日】平成27年7月21日(2015.7.21)
【手続補正１】
【補正対象書類名】実用新案登録請求の範囲
【補正対象項目名】請求項３
【補正方法】変更
【補正の内容】
【請求項３】
前記逆流防止手段は、前記入口側の前記硬貨通路の、硬貨の直径方向から前記硬貨通路に臨んで設けられたガイド溝と、このガイド溝で軸部が案内されるように取り付けられたローラーと、前記入口から押し込まれた硬貨に押し退けられて硬貨を避ける方向に移動するも元の位置に戻るように前記ローラーを付勢する付勢手段とから成る、請求項２に記載の貯金箱。
【手続補正２】
【補正対象書類名】明細書
【補正対象項目名】００３１
【補正方法】変更
【補正の内容】
【００３１】  入口６０から硬貨を入れると、硬貨は硬貨通路６の中で積み上がって行くが、ゴム製のスペーサーの抵抗で自然には出口６１から零れ落ちることはないが、硬貨を入口６０から押し込むようにすると、その力は硬貨により伝達し合い出口６１手前に位置する最先の硬貨が押し出されるのである。